(57)【要約】【課題】人工的に生産した水産生物の種苗を水中に放流する放流装置において，種苗の移動速度を早め迅速に放流する。さらに，放流装置を海中から回収し，海洋汚染を防止する。【解決手段】透明板材の表面に複数個の開口孔を設けこれを側面から見て山谷を連続的に設けた板体を形成し，これに予め，アワビやサザエ等の稚貝を付着させる第１手段と，これをフレーム状に組まれた放流篭内に配置させる第２手段と，該放流篭を海上へ運び所定の漁場に浮子等の目印を付けて海底に固定する第３手段によることを特徴とする稚貝の放流方法および放流装置を用いる。【選択図】図８
2005287468.tif 000002
【特許請求の範囲】
【請求項１】
透明板材の表面に複数個の開口孔を設け，これを側面から見て山谷を連続的に設けた板体を形成し，これに予め，アワビやサザエ等の稚貝を付着させる第１手段と，これをフレーム状に組まれた放流篭内に配置させる第２手段と，該放流篭を海上へ運び所定の漁場に浮子等の目印を付けて海底に固定する第３手段を行うようにしたことを特徴とする稚貝の放流方法。
【請求項２】
透明板材の表面に複数個の開口孔を設け，これを側面から見て山谷を連続的に設けた板体を形成し，これに予めアワビやサザエ等の稚貝を付着させこれをフレーム状に組まれた放流篭に配置固定し，該放流篭に目印を付けて海底に固定するようにしたことを特徴とする稚貝の放流装置。
【発明の詳細な説明】
【技術分野】
【０００１】透明板材の表面に複数個の開口孔を設けこれを側面から見て山谷を連続的に設けた板体を形成し，これに予め，アワビやサザエ等の稚貝を板体に付着させる第１手段と，これをフレーム状に組まれた放流篭内に配置させる第２手段と，該放流篭を海上へ運び所定の漁場に沈め，浮子等の目印を付けて海底に固定する第３手段を行うようにしたことを特徴とする稚貝の放流方法および放流装置に関する。
【技術背景】
【０００２】種苗放流容器内に付着基板を設けることにより，稚貝の付着を容易にするとともに稚貝の活動を鈍くして放流時間を遅らせ，放流海域になじんだ状態で稚貝を放流するから，放流する稚貝の生残率をより向上させることができる。（特開平６−２６１６５０号公報参照）
【０００３】また，海中に設置された容器は鋼製の極薄板又は極薄金網で形成されている容器は海水中で溶解して消耗するから，放流後に回収する作業を必要とせず，放流作業を簡易化することができる。（特開平６−２６１６５０号公報参照）
【発明の開示】
【発明が解決しようとする課題】
【０００４】しかしながら，稚貝の活動を鈍くして放流時間を遅らせ，放流装置を長期間海中に設置しておくと波が荒い海域では放流装置が飛散しやすいという問題点があった。【０００５】海洋汚染及び海上災害の防止に関する法律で，船舶からの廃棄物の排出は禁止されている（海洋汚染及び船上災害の防止に関する法律第三章第十条）。【０００６】飛散した放流装置は廃棄物となり海洋汚染を招く。【０００７】この発明はかかる短所を改善するためになされたものであり，透明板材の表面に複数個の開口孔を設けこれを側面から見て山谷を連続的に設けた板体を形成し，これに予め，アワビやサザエ等の稚貝を付着させる第１手段と，これをフレーム状に組まれた放流篭内に配置させる第２手段と，該放流篭を海上へ運び所定の漁場に浮子等の目印を付けて海底に固定する第３手段を行うようにしたことを特徴とする稚貝の放流方法および放流装置を用いる。そして，人工的に生産した水産生物の種苗を水中に放流する放流装置において，光の透過度の高い素材で付着基板を製作することにより，明所からすみやかに移動する水産生物の特性を利用して種苗の移動速度を早め迅速に放流することができる。さらに，浮子をつけることにより回収できることを特徴とする。
【課題を解決するための手段】
【０００８】透明板材の表面に複数個の開口孔を設けこれを側面から見て山谷を連続的に設けた板体を形成し，これに予め，アワビやサザエ等の稚貝を付着させる第１手段と，これをフレーム状に組まれた放流篭内に配置させる第２手段と，該放流篭を海上へ運び所定の漁場に浮子等の目印を付けて海底に固定する第３手段を行うようにしたことを特徴とする。【０００９】また，透明板材の表面に複数個の開口孔を設けこれを側面から見て山谷を連続的に設けた板体を形成し，これに予めアワビやサザエ等の稚貝を付着させこれをフレーム状に組まれた放流篭に配置固定し，該放流篭に目印を付けて海底に固定するようにしたことを特徴とする稚貝の放流装置を使用する必要がある。
【発明を実施するための最良の形態】
【００１０】発明の実施の形態を実施例にもとづき図面を参照して説明する。
図１の放流装置の斜視図に示したように，放流装置は上記の放流篭１の中に付着基板２を収容する。【００１１】図２に示す付着基板２はプラスチック等の樹脂部材や竹等の植物部材でできた光の透過度の高い透明板材の表面に複数個の開口孔３を設けこれを側面から見て山谷を連続的に設けた板体で形成され，放流稚貝が付着しやすい大きさに折り曲げてあり，例えば２ａ〜２ｄに示した形状である。【００１２】図３の放流篭１に示したように放流篭１は，１ａ〜１ｆの金属部材で構成されている。１ａおよび１ｂを溶接等により接続し蓋を構成する。また，１ｄ〜１ｆを溶接等により接続し本体を構成する。本体には１ｆからなる仕切り棒があり，付着基板を複数収容できるようにしてある。仕切り棒を本体の全面と平行に等間隔で溶接した。本体の最上部のどちらか一方の１ｅと仕切り棒の端を溶接し，それと近い位置にある本体底面中央のそれぞれの１ｅともう片方の端を溶接し固定した。１ｃからなる接続部品はパイプ状になっており，本体の上面のどちらか一方の１ｂの２か所にそれぞれ１ｃの側面を溶接する。そして，蓋の片側の１ｂをこのパイプ状の接続部品に通し，蓋を開閉自由な状態にした。【００１３】図４の断面図に示したように内部には数枚の付着基板２を立たせた状態で収容する。また場合によっては海底での安定性を高めるため，図８に示したように例えば結束バンド１４を利用して鉄棒などの重り４を付けた。
【実施例】
【００１４】上記のように構成された放流装置を使用してアワビ稚貝を放流する場合は，図５の付着基板と遮光板を重ね合わせた斜視図に示したように付着基板２及び同形状の光の透過度が低い例えば黒色の遮光板５を重ね合わせる。両板の間に放流稚貝が侵入するのを防ぐため，付着基板２と遮光板５を留め金６で固定し両板を密着させる。【００１５】また，遮光板５の代わりに光の透過度の低いセロファン等を付着基板２に貼り，遮光してもよい。【００１６】図６の放流稚貝を付着基板へ付着させるための水槽断面図に示したようにように，水槽７に取り付けた網状の育成篭８に上記の付着基板２および遮光板５を遮光板５か上面になるように設置し，放流稚貝９を遮光板５の上へのせる。暗所を好む放流稚貝９は遮光板５から開口孔３を通過するなどして裏面の透明な付着基板２へと移動し，付着基板２に付着する。【００１７】その後，上記のように設置した付着基板２および遮光板５を水槽７から取り出し，十分に水を切る。アワビは無水状態になると動きが止まる。この状態で留金１０をはずし，透明な付着基板２から遮光板５を剥がす。【００１８】上記の付着基板２を図３の放流篭１へ収容する。収容時には，蓋を開き本体の上部から仕切り棒で区切った部分へ放流稚貝９を付着させた透明な付着基板２を挿入し，蓋が自由に開閉しないように結束バンド１４等を利用して放流篭１の蓋と本体を固定する。【００１９】図７の放流装置輸送用コンテナの断面図に示すように，放流稚貝９の乾燥を防ぐため，海水をしみこませたウレタンマット１１で覆った上記の放流装置をコンテナ１０内に収容し，放流海域まで無水状態で輸送する。【００２０】図８の放流装置の海中設置図に示すように，放流地点に到着したら，コンテナ１０から放流装置を取り出し，浮子１２を付けた連結ロープ１３を結びつけ，例えば結束バンド１４を利用して鉄棒などの重り４を付け，海上から放流装置を海中へ投入し海底に設置する。このように設置した放流装置の内部に光があたることにより放流稚貝９が放流篭１の底面および側面下部から外部の岩場に素早く移動するので，迅速に放流することができる。【００２１】また，放流稚貝９が移動したら連結ロープ１３をたぐり，放流装置を水中から回収することができ，海洋汚染を防止することができる。
【発明の効果】
【００２２】本発明は，透明板材の表面に複数個の開口孔を設けこれを側面から見て山谷を連続的に設けた板体を形成し，これに予め，アワビやサザエ等の稚貝を付着させる第１手段と，これをフレーム状に組まれた放流篭内に配置させる第２手段と，該放流篭を海上へ運び所定の漁場に浮子等の目印を付けて海底に固定する第３手段を行うようにしたことを特徴とする稚貝の放流方法および放流装置を用いることを特徴とする。以下に記載されるよな効果を奏する。
【００２３】人工的に生産した水産生物の種苗を水中に放流する放流装置において，光の透過度の高い素材で付着基板を製作したため，明所からすみやかに移動する生物の特性を利用して種苗の移動速度を早め迅速に放流することができる。
【００２４】また，アワビ等を付着させる時に透過度の低い素材を重ね合わせることにより遮光し，光の透過度の高い素材に暗所を好む水産生物を付着させることができる。
【００２５】さらに，浮子をつけることにより回収できるため海洋汚染を防止する。
【産業上の利用可能性】
【００２６】本発明の活用例として，人工的に生産した水産生物の種苗を水中に放流する放流装置において，光の透過度の高い素材で付着基板を製作したため，明所からすみやかに移動する特性を利用して種苗の移動速度を早め迅速に放流することができる。そのため，種苗の活力が高い状態で放流でき生残率の向上が期待できる。【００２７】光の影響に行動が左右される動物の放流に関して，光の透過度を高めることにより移動速度を早めることが可能となったので，例えば，光の透過度の高いプラスチック等の素材によって放流装置を製作し，放流する方法にも活用できる。
【図面の簡単な説明】
【００２８】
【図１】放流装置の斜視図である。
【図２】付着基板の形状である。
【図３】放流篭の斜視図である。
【図４】放流装置の断面図である。
【図５】付着基板と遮光板を重ね合わせた斜視図である。
【図６】放流稚貝を付着基板へ付着させるための水槽断面図である。
【図７】放流装置輸送用コンテナの断面図である。
【図８】放流装置の水中設置図である。
【符号の説明】
【００２９】１：放流篭
２：付着基板
３：開口孔
４：重り
５：遮光板
６：留め金
７：水槽
８：育成籠
９：放流稚貝（アワビ）
１０：コンテナ
１１：ウレタンマット
１２：浮子
１３：連結ロープ
１４：結束バンド
【図１】
2005287468.tif 000003
【図２】
2005287468.tif 000004
【図３】
2005287468.tif 000005
【図４】
2005287468.tif 000006
【図５】
2005287468.tif 000007
【図６】
2005287468.tif 000008
【図７】
2005287468.tif 000009
【図８】
2005287468.tif 000010